(57)【要約】【課題】従来品と比べ自鳴式タグの部品を増やすことなくわずかな加工を加えるだけで、警報装置の検出漏れを低減でき、自鳴式タグと共に、警報装置の警報を発することができる監視システム及びそれに用いる自鳴式タグを提供する。【解決手段】自鳴式タグは、フェライトコアに巻回されたコイルと該コイルに接続されたコンデンサからなる共振回路を備えると共に、前記第１の警報を発するために必要な各種部品を備え、前記共振回路は、前記報知信号を受信するための受信手段として機能すると共に、前記特定の周波数成分と同じ周波数で同じ位相の電波を発生することにより、前記報知信号に含まれる前記特定の周波数成分の強度を変化させる機能を有し、前記自鳴式タグが備える各種部品の内、導電性を有する材料からなる部品の少なくとも一つを、前記フェライトコアの内側に包み込み、又は挟み込んだことを特徴とする。【選択図】    図１
2004272661.tif 000002
【特許請求の範囲】
【請求項１】
報知信号を送信する報知信号送信装置と、監視対象物に取り付けられ、前記報知信号を受信することにより第１の警報を発すると共に、前記報知信号に含まれる特定の周波数成分の強度を変化させる自鳴式タグと、前記特定の周波数成分の強度の変化を検出することにより第２の警報を発する警報装置とを備えることを特徴とする監視システムにおいて、
前記自鳴式タグは、フェライトコアに巻回されたコイルと該コイルに接続されたコンデンサからなる共振回路を備えると共に、前記第１の警報を発するために必要な各種部品を備え、
前記共振回路は、前記報知信号を受信するための受信手段として機能すると共に、前記特定の周波数成分と同じ周波数で同じ位相の電波を発生することにより、前記報知信号に含まれる前記特定の周波数成分の強度を変化させる機能を有し、
前記自鳴式タグが備える各種部品の内、導電性を有する材料からなる部品の少なくとも一つを、前記フェライトコアの内側に包み込み、又は挟み込んだことを特徴とする請求項１記載の監視システム。
【請求項２】
前記フェライトコアの内側に包み込み、又は挟み込まれた部品は、電池であることを特徴とする請求項１記載の監視システム。
【請求項３】
監視対象物に取り付けられ、特定の周波数成分を含む報知信号を受信することにより警報を発すると共に、前記報知信号に含まれる前記特定の周波数成分の強度を変化させる自鳴式タグにおいて、
前記自鳴式タグは、フェライトコアに巻回されたコイルと該コイルに接続されたコンデンサからなる共振回路を備えると共に、前記警報を発するために必要な各種部品を備え、
前記共振回路は、前記報知信号を受信するための受信手段として機能すると共に、前記特定の周波数成分と同じ周波数で同じ位相の電波を発生することにより、前記報知信号に含まれる前記特定の周波数成分の強度を変化させる機能を有し、
前記自鳴式タグが備える各種部品の内、導電性を有する材料からなる部品の少なくとも一つを、前記フェライトコアの内側に包み込み、又は挟み込んだことを特徴とする自鳴式タグ。
【請求項４】
前記フェライトコアの内側に包み込み、又は挟み込まれた部品は、電池であることを特徴とする請求項３記載の自鳴式タグ。
【発明の詳細な説明】
【０００１】
【発明の属する技術分野】
本発明は、店内に陳列された商品を万引き等の不正行為から保護する監視システムに用いる自鳴式タグ及び、該自鳴式タグと共に他に設けられる警報装置でも警報を発する監視システムに関する。
【０００２】
【従来の技術】
従来、小売店などから商品が不正に、或は誤って持ち出されるのを防ぐことを目的として商品に貼着する盗難防止用の共振タグを備えた監視システムが公知である。
【０００３】
この前記監視システムは図１及び図２に示すように、販売店の出口付近に設置された特定の周波数成分を含む報知信号を発する報知信号送信装置１と、監視対象物５０に取り付けられ、前記特定の周波数に共振し前記報知信号に含まれる前記特定の周波数成分の強度を変化させる共振回路を備える共振タグ２０と、前記特定の周波数成分の強度変化を検出し警報を発する警報装置３から構成されている（例えば特許文献１）。
【０００４】
ところが、上記監視システムにおいては、前記報知信号発信装置１と前記警報装置３の間を多数の人が通過している場合、警報装置３から警報が発せられても監視対象物５０を誰が持ち出したのか特定することができないという問題がある。
【０００５】
そこで共振回路をアンテナとして用い、報知信号に含まれる特定の周波数成分を受信することによりタグ自体が発鳴する自鳴式タグ２を用いた図１１及び図１２に示すような監視システムが提案されている。前記自鳴式タグ２は、図１３に示すように、共振回路１０と、電池１８と、警報器２２と、所定の回路が構成された回路基板２３とをケース２１に組み込んで構成されている。
【０００６】
上記監視システムを用いることにより、多数の人が前記報知信号送信装置の前を通過した場合でも、誰が監視対象物を持ち出したかを特定することができる（例えば特許文献２）。
【０００７】
【特許文献１】
特公平８−３３９６０号公報（第２頁、図２）
【特許文献２】
特開平８−１８５５８４号公報（第１頁）
【０００８】
【発明が解決しようとする課題】
上記特許文献１の共振タグに用いる共振回路と、上記特許文献２に用いる共振回路は同様のものであり、図１４に示すようなコイルＬとコンデンサＣから構成されているため、上記特許文献２の監視システムにおける前記自鳴式タグは前記報知信号を受信することにより警報を発すると共に、前記報知信号に含まれる特定の周波数成分の強度を変化させる。そのため、特許文献２の自鳴式タグを用いる監視システムに、特許文献１と同様の、報知信号に含まれる特定の周波数成分の強度変化を検出し警報を発する警報装置を備えることにより、自鳴式タグと共に、警報装置からも警報を発することができるはずである。
【０００９】
ところが、前記自鳴式タグ内部において、報知信号を受信し共振回路の共振により特定の周波数成分を変化させる電波が発生しても、発生した電波が電池や回路基板の金属部等の前記導電性を有する材料からなる部品を通過するにあたり、渦電流を発生し、やがてはそれらの内部抵抗により熱損となってしまう。そのため、前記自鳴式タグの共振回路におけるＱ（Ｑｕａｌｉｔｙ  ｆａｃｔｏｒ）が低下し、特定の周波数の電波強度が十分に変化しないため、警報装置が動作しにくく、自鳴式タグと共に、警報装置から警報を発することは困難であった。
【００１０】
上記の自鳴式タグ内部における問題を避ける方法として、共振回路の性能を上げることが考えられるが、性能を上げるためには共振回路の大型化が避けられないため、小型化、軽量化が求められるタグには不向きである。また共振回路と電池や回路基板の金属部等との距離を取れば改善出来るが、これも限られたタグのスペースでは十分の距離を取ることができないという問題があった。
【００１１】
そこで、本発明は上記問題を鑑みて、自鳴式タグを大型化することなく警報装置の検出漏れを低減でき、自鳴式タグと共に、警報装置の警報を発することができる監視システム及びそれに用いる自鳴式タグを提供する。
【００１２】
【課題を解決するための手段】
本発明は報知信号を送信する報知信号送信装置と、監視対象物に取り付けられ、前記報知信号を受信することにより第１の警報を発すると共に、前記報知信号に含まれる特定の周波数成分の強度を変化させる自鳴式タグと、前記特定の周波数成分の強度の変化を検出することにより第２の警報を発する警報装置とを備えることを特徴とする監視システムにおいて、前記自鳴式タグは、フェライトコアに巻回されたコイルと該コイルに接続されたコンデンサからなる共振回路を備えると共に、前記第１の警報を発するために必要な各種部品を備え、
前記共振回路は、前記報知信号を受信するための受信手段として機能すると共に、前記特定の周波数成分と同じ周波数で同じ位相の電波を発生することにより、前記報知信号に含まれる前記特定の周波数成分の強度を変化させる機能を有し、前記自鳴式タグが備える各種部品の内、導電性を有する材料からなる部品の少なくとも一つを、前記フェライトコアの内側に包み込み、又は挟み込んだことを特徴とする。
【００１３】
また、監視対象物に取り付けられ、特定の周波数成分を含む報知信号を受信することにより警報を発すると共に、前記報知信号に含まれる前記特定の周波数成分の強度を変化させる自鳴式タグにおいて、
前記自鳴式タグは、フェライトコアに巻回されたコイルと該コイルに接続されたコンデンサからなる共振回路を備えると共に、前記警報を発するために必要な各種部品を備え、
前記共振回路は、前記報知信号を受信するための受信手段として機能すると共に、前記特定の周波数成分と同じ周波数で同じ位相の電波を発生することにより、前記報知信号に含まれる前記特定の周波数成分の強度を変化させる機能を有し、
前記自鳴式タグが備える各種部品の内、導電性を有する材料からなる部品の少なくとも一つを、前記フェライトコアの内側に包み込み、又は挟み込んだことを特徴とする。
【００１４】
上記構成により、前記共振回路の共振により発生した電波が前記電池等の導電体よりも磁気抵抗の低いフェライトを通過するため、渦電流の発生を抑制することができ、前記自鳴式タグを大型化することなく、共振回路におけるＱ  （Ｑｕａｌｉｔｙ  ｆａｃｔｏｒ）の低下を防ぐことができる。そのため、従来品と比べ自鳴式タグの部品を増やすことなくわずかな加工を加えるだけで、警報装置の検出漏れを低減でき、自鳴式タグと共に、警報装置の警報を発することができる。
【００１５】
【発明の実施の形態】
本発明の監視システムの一実施例の構成を図１に示す。
【００１６】
この監視システムは報知信号を送信する報知信号送信装置１と、監視対象物に取り付けられ、前記報知信号を受信することにより第１の警報を発すると共に、前記報知信号に含まれる特定の周波数成分の強度を変化させる自鳴式タグ２と、前記特定の周波数成分の強度の変化を検出することにより第２の警報を発する警報装置３とからなる。
【００１７】
本発明の監視システムに用いる特定の周波数成分としては、周波数が高いもの（例えば７．７〜８．７ＭＨｚ）を用いる。
【００１８】
本発明に用いる前記自鳴式タグは、フェライトコアに巻回されたコイルと、該コイル及びコンデンサからなる共振回路と、電池と、警報器と、所定の回路が構成された回路基板とをケースに組み込んで構成している。前記共振回路は、前記報知信号を受信するための受信手段として機能すると共に、前記特定の周波数成分と同じ電波を発生することにより、前記報知信号に含まれる前記特定の周波数成分の強度を変化させる機能を有する。
【００１９】
前記自鳴式タグが備える各種部品の内、導電性を有する材料からなる部品の少なくとも一つを、前記フェライトコアの内側に包み込み、又は挟み込んだものを使用する。実施例の自鳴式タグ２は、前記導電性を有する材料からなる部品として図６に示すようなボタン型電池１８を、前記フェライトコアの内側に包み込み、又は挟み込んだものを用いた。
【００２０】
本発明の自鳴式タグにおける一実施例の構成図を図２に示す。
【００２１】
この自鳴式タグは、特定の周波数成分を含む報知信号を、コイルＬ及びコンデンサＣからなる共振回路１０によって受信し、前記受信を検波する検波回路１１を通して制御回路１２に入力される。該制御回路１２から報知信号が入力されることにより警報器２２を発鳴させる。さらに、前記自鳴式タグ内の共振回路１０の共振により前記報知信号の周波数と同じ電波が発生し、前記報知信号と同じ周波数の電波強度（振幅）を増加させる。
【００２２】
以下、本発明に用いるフェライトコア１７の実施の形態につき、図面を参照して説明する。
【００２３】
（実施例１）
図３に示すように、前記フェライトコア１７として、内部が筒型空洞形状を有し、前記筒型空洞に前記ボタン型電池１８を挿入したものを用いた。
【００２４】
（実施例２）
図４に示すように、前記フェライトコア１７として、縦断面Ｌ字型のフェライト二枚で前記ボタン型電池１８を挟み込んだものを用いた。
【００２５】
（実施例３）
図５に示すように、前記フェライトコア１７として、板状のフェライト二枚で前記ボタン型電池１８を挟み込んだものを用いた。
【００２６】
前記実施例１、実施例３のフェライトコア１７を備えた自鳴式タグの上面図及び側面図をそれぞれ図７、図８に示す。
【００２７】
上記実施例のように、電池をフェライトコアの内部に包み込む、又は挟み込むことにより、共振回路の共振により発生した電波が前記電池よりも磁気抵抗の低いフェライトを通過するため、渦電流の発生を抑制することができる。そのため、共振回路におけるＱ（Ｑｕａｌｉｔｙ  ｆａｃｔｏｒ）が低下を防ぐことができ、警報装置の検出漏れを低減でき、自鳴式タグの警報器と共に、警報装置の警報を発することができる。さらに従来の自鳴式タグに部品を増やすことなく、またフェライトコアの内部に他の部品を包み込む、又は挟み込むため自鳴式タグの小型化が望める。
【００２８】
実施例３では、フェライトコア１７により電池を完全に包み込んでいないため、共振回路におけるＱ（Ｑｕａｌｉｔｙ  ｆａｃｔｏｒ）が多少低下するが、実用上差し支えない性能を得ることができた。
【００２９】
実施例の自鳴式タグでは一番大きな前記導電性を有する材料からなる部品がボタン型電池１８であるため、前記ボタン型電池をフェライトコア１７の内部に包み込んだが、回路基板の金属部等をフェライトコア１７の内部に包み込んでも同様の効果が得られる。
【００３０】
また、本発明は自鳴式タグが結合された対象物又は対象人物が所定の領域（報知信号の届く領域）を通過したことを監視する監視システムとして利用することも可能である。
【００３１】
【発明の効果】
本発明は、報知信号を送信する報知信号送信装置と、監視対象物に取り付けられ、前記報知信号を受信することにより第１の警報を発すると共に、前記報知信号に含まれる特定の周波数成分の強度を変化させる自鳴式タグと、前記特定の周波数成分の強度の変化を検出することにより第２の警報を発する警報装置とを備えることを特徴とする監視システムにおいて、前記自鳴式タグを大型化することなく、共振回路におけるＱ（Ｑｕａｌｉｔｙ  ｆａｃｔｏｒ）が低下を防ぐことができる。そのため、従来品と比べ自鳴式タグの部品を増やすことなくわずかな加工を加えるだけで、警報装置の検出漏れを低減でき、自鳴式タグと共に、警報装置の警報を発することができる。
【図面の簡単な説明】
【図１】本発明における監視システムの構成図である。
【図２】本発明の監視システムに用いる自鳴式タグの構成図である。
【図３】実施例１におけるフェライトコアの上面図、縦断面図及び横断面図である。
【図４】実施例２におけるフェライトコアの上面図、縦断面図及び横断面図である。
【図５】実施例３におけるフェライトコアの上面図、縦断面図及び横断面図である。
【図６】本発明の実施例に用いたボタン型電池の上面図及び側面図である。
【図７】実施例１のフェライトコアを用いた自鳴式タグの上面図及び自鳴式タグ内部の側面図である。
【図８】実施例３のフェライトコアを用いた自鳴式タグの上面図及び自鳴式タグ内部の側面図である。
【図９】従来の共振タグを用いた監視システムの斜視図である。
【図１０】従来の共振タグを用いた監視システムの構成図である
【図１１】従来の自鳴式タグを用いた監視システムの斜視図である。
【図１２】従来の自鳴式タグを用いた監視システムの構成図である。
【図１３】従来の自鳴式タグ内部の上面図である。
【図１４】共振タグ及び自鳴式タグに用いられる共振回路の回路図である。
【符号の説明】
１    報知信号送信装置
２    自鳴式タグ
３    警報装置
Ｌ    コイル
Ｃ    コンデンサ
１０  共振回路
１１  検波回路
１２  制御回路
１７  フェライトコア
１８  電池
２０  共振タグ
２１  ケース
２２  警報器
２３  回路基板
５０  監視対象物
【図１】
2004272661.tif 000003
【図２】
2004272661.tif 000004
【図３】
2004272661.tif 000005
【図４】
2004272661.tif 000006
【図５】
2004272661.tif 000007
【図６】
2004272661.tif 000008
【図７】
2004272661.tif 000009
【図８】
2004272661.tif 000010
【図９】
2004272661.tif 000011
【図１０】
2004272661.tif 000012
【図１１】
2004272661.tif 000013
【図１２】
2004272661.tif 000014
【図１３】
2004272661.tif 000015
【図１４】
2004272661.tif 000016